(57)【要約】      （修正有）【課題】使用に際して充分な耐久性を有するとともに、小規模且つ簡易な設備で安価に製造できる巻き芯を提供する。【解決手段】芯材１と、囲み部材２とを備えており、囲み部材２は、芯材１の外周部を水平軸回りに囲むものであり、芯材１は、ダンボール材を複数枚積層させたものであり、各ダンボール材は、波形をなす中芯の各段山１５がほぼ並列に配置してある。【選択図】図１
0003181775.tif 000002
【実用新案登録請求の範囲】
【請求項１】
芯材と、囲み部材とを備えており、
囲み部材は、芯材の外周部を水平軸回りに囲むものであり、
芯材は、ダンボール材を複数枚積層させたものであり、各ダンボール材は、波形をなす中芯の各段山がほぼ並列に配置してあることを特徴とする巻き芯。
【請求項２】
囲み部材は、芯材を形成するダンボール材の中芯の各段山とほぼ並行に配置されるダンボール材を使用していることを特徴とする請求項１記載の巻き芯。
【考案の詳細な説明】
【技術分野】
【０００１】
本考案は、生地等を巻いて保持するための巻き芯に関するものである。
【背景技術】
【０００２】
この種の巻き芯は、所定の厚みに切断したダンボール材の外周にボール紙を巻き付けて形成されるものであった。さらに、上記のように形成された巻き芯は、その外周に衣類の生地等を巻き付けた状態とし、繊維加工業者や一般消費者等に供給される。
【先行技術文献】
【特許文献】
【０００３】
【特許文献１】特開平１０−２４５０４号公報
【考案の概要】
【考案が解決しようとする課題】
【０００４】
上記のような巻き芯は、長尺で且つ各段山が大きい中芯を有するダンボール材を複数重ねて接着し、その積層された構成物を所定の間隔で複数回切断していくことにより、巻き芯の芯材を形成するものであった。したがって、芯材の製造には長尺な材料を次工程に搬送する大掛かりな設備が必要となる。さらに、上記のような各段山が大きく特殊な中芯を使用するダンボール材は、緩衝性能が向上する反面、剪断耐力あるいは耐刃性が一般的なダンボール材と比較して飛躍的に高くなる。このことから、上記のようなダンボール材を所定の間隔に切断するためには特殊な装置も必要となった。これにより、巻き芯を容易に製造できない不都合があった。
本考案は、上記課題を鑑みてなされたものであり、使用に際して充分な耐久性を有するとともに、小規模且つ簡易な設備で製造できる巻き芯を提供することにある。
【課題を解決するための手段】
【０００５】
本考案のうち請求項１記載の考案は、芯材と、囲み部材とを備えており、囲み部材は、芯材の外周部を水平軸回りに囲むものであり、芯材は、ダンボール材を複数枚積層させたものであり、各ダンボール材は、波形をなす中芯の各段山がほぼ並列に配置してあることを特徴とする。
【０００６】
本考案のうち請求項２記載の考案は、囲み部材は、芯材を形成するダンボール材の中芯の各段山とほぼ並行に配置されるダンボール材を使用していることを特徴とする。
【考案の効果】
【０００７】
本考案のうち請求項１記載の考案によれば、芯材は、ダンボール材を複数積層したものであることから、新規あるいは回収された古紙からなるダンボール材をそのまま利用できるため、原材料の入手が容易になる。さらに、ダンボール材を所定の大きさに切断し、それを複数枚積層して芯材を形成し、その外周部を囲み部材で囲んで形成されるものであるから、製造が容易であり加工性に優れている。
【０００８】
本考案のうち請求項２記載の考案によれば、囲み部材は、ダンボール材を使用しており、そのダンボール材は、芯材に使用している各ダンボール材の中芯の各段山とほぼ並行に配置してある。これにより、囲み部材に緩衝性能を付与するとともに、芯材の外周部に沿って囲み部材の各段山が配置されることで、芯材の外周にフィットした外観の体裁のよい巻き芯を提供できる。
【図面の簡単な説明】
【０００９】
【図１】本実施による巻き芯の（ａ）は、全体を示す斜視図であり、（ｂ）は、使用状態を示す斜視図である。
【図２】本実施による巻き芯を構成する（ａ）は、芯材の斜視図であり、（ｂ）は、囲み部材の斜視図である。
【図３】（ａ）〜（ｄ）は、本実施による巻き芯の製造手順を示す斜視図である。
【考案を実施するための形態】
【００１０】
以下に、図面に基づいて本実施による巻き芯について説明する。
本実施による巻き芯（図中の符号Ａ、以下、巻き芯Ａと記す）は、図１（ａ）のように、芯材１と、囲み部材２とから構成されている。また、図１（ｂ）のように、巻き芯Ａを使用する際は、上記の巻き芯Ａに生地１６を巻き付けることで使用する。
芯材１は、図２（ａ）のように、一辺が長い矩形状をなすダンボール材１１，１２，１３を上下に複数枚積層させた構造をなしている。本実施のものでは、３枚のダンボール材１１，１２，１３を積層しており、最上のダンボール材１１は、波形をなす中芯１１ｂの両面にフラットな紙材１１ａ，１１ａを配置する両面ダンボール材を使用している。中央に配置されるダンボール材１２と最下のダンボール材１３は、波形をなす中芯１２ｂ，１３ｂの片面のみにフラットな紙材１２ａ，１３ａを配置する片面ダンボール材を使用している。さらに、最上に配置されるダンボール材１１の下面の紙材１１ａの外周部に、中央のダンボール材１２の中芯１２ｂを接着し、さらに、中央のダンボール材１２の紙材１２ａの外周部に、最下のダンボール材１３の中芯１３ｂを接着する。上記のようにすることで本実施による芯材１が形成される。
【００１１】
囲み部材２は、図２（ｂ）のように、上記芯材１と同様に一般的なダンボール材で形成された外周材２ａと緩衝材２ｂを使用している。また、囲み部材２に使用する外周材２ａと緩衝材２ｂは、芯材１の外周部の全周を水平軸回りで囲むことのできる長さに形成している。また、囲み部材２は、芯材１に巻き付けたときに外周部側に配置される側をフラットな外周材２ａとし、さらに、芯材１に巻き付けたときに、内周部側に配置される側が波形をなす緩衝材２ｂとした片面ダンボール材を使用している。そして、芯材１に対して緩衝材２ｂ側を接着することにより、緩衝材２ｂの各段山１５が圧縮される方向に変形する。これにより、芯材１の外周部に沿って密接な状態で囲み部材２を取り付けることができる。
【００１２】
また、本実施形態の芯材１を構成するダンボール材１１，１２，１３の実施の一例を説明する。本実施例のものは、中央と最下にそれぞれ配置されるダンボール材１２，１３の厚みが５ｍｍである。これは、外周面側のみにフラットな紙材１２ａ，１３ａを配するためである。また、幅寸法が約１５０〜２００ｍｍ、長辺の寸法が約４００〜１２００ｍｍに設定されている。次に、積層した最上に配置されるダンボール材１１は、一般的にＡフルートと呼ばれるものを使用しており、その厚みが５ｍｍである。これは、上下両面にフラットな紙材１１ａ，１１ａを配するものであるが、紙材１１ａは厚みが薄く、しかも、中芯１１ｂが荷重で僅かに潰れることから、中央と最下のダンボール材１２，１３とほぼ同一の厚みとなる。また、その他の寸法は、上記した中央と最下のダンボール材１２，１３とほぼ同一に設定されている。さらに、囲み部材２は、フラットな外周材２ａを外面部側のみに配してあることから、厚みが３ｍｍとなっている。また、囲み部材２の幅寸法については、芯材１の上下両面の幅寸法のそれぞれに対応して３００〜４００ｍｍ（上下のうち一面の寸法１５０〜２００ｍｍ）と、さらに、芯材１の両側部の寸法２２ｍｍ（片側部の寸法１１ｍｍ）を加えた寸法としている。また、上記の総寸法に加え、囲み部材２が芯材１の外周部を囲むものであることから、囲み部材２と芯材１とが対向するコーナー部分１４のクリアランスを考慮して若干長めに寸法をとり、囲み部材２の両端部の端縁同士が当接する寸法に設定している。このように、本実施による巻き芯Ａの厚みが芯材１の荷重による圧縮を考慮しても、少なくとも１５ｍｍ以上を有するように形成すれば、巻き芯Ａに生地１６を巻き付けたときに、その荷重で巻き芯Ａが折れることがなく、しかも、巻き芯Ａが嵩張って保管あるいは搬送に要するスペースを占有しない適度な大きさとなる。
【００１３】
上記した巻き芯Ａの製造手順を図３（ａ）〜（ｄ）と図１（ａ）に基づいて説明する。
第一手順として図３（ａ）のように、波形の中芯１１ｂの両面にそれぞれフラットな紙材１１ａ，１１ａを配置するダンボール材１１を最上に配置し、その下面側の紙材１１ａに対して一面側のみにフラットな紙材１２ａ，１３ａを配置するダンボール材１２，１３をそれぞれ接着する。これにより芯材１を形成する。
第二手順として図３（ｂ）のように、上記第一実施形態で形成した芯材１に対し、その外周部に囲み部材２を巻きつける。このときに、囲み部材２を構成する波形をなす緩衝材２ｂの側を芯材１の外周部に当接、接着して巻き付ける。
第三の手順として図３（ｃ）のように、芯材１の長辺の両端部をそれぞれ紙ラベル１７で閉塞して図３（ｄ）のように、囲み部材２の端面を隠蔽する。
以上の工程を経ることにより、本実施による芯材の製造が完了する。
【００１４】
本発明の巻き芯Ａは、上記実施形態では上層、中層、下層に配置する３枚のダンボール材１１，１２，１３を積層することにより形成した芯材１について挙げたが、その枚数については、生地１６の材質や巻き付け回数等を鑑みて適宜変更することができる。ただ、巻き芯Ａの厚みが極端に大きくなると生地１６等が巻き付け難くなり、さらに、生地１６等を巻き付けた最終製品を保管や搬送するときに、そのスペースを無駄にとってしまう不都合がある。また反対に、巻き芯Ａの厚みが薄い場合には、生地１６の荷重で芯材１が折れてしまい耐久性に難がある。さらに、上記実施形態では芯材１を構成する各ダンボール材１１，１２，１３の段山１５の延長する方向が交互に積層されているが、段山１５の延びる方向がすべて同一方向を向くように積層してもよい。
【符号の説明】
【００１５】
１  芯材
２  囲み部材
１１，１２，１３  ダンボール材
１１ｂ，１２ｂ，１３ｂ  中芯
１５  段山
【図１】
0003181775.tif 000003
【図２】
0003181775.tif 000004
【図３】
0003181775.tif 000005